(57)【要約】      （修正有）【課題】トルク値を段階的に警告表示する機能を有し、読み取りやすく、警告表示レベルが細分化され、操作値を迅速かつ正確に把握できるトルクレンチを提供する。【解決手段】主警告表示ユニット（３１）および副警告表示ユニット（３２）を組合せて警告表示レベルの表示を形成し、かつ前記副警告表示ユニット（３２）は、警告表示レベルにおいて段階的な副警告表示を形成する。【選択図】図３
2020089966.tif 000002
【特許請求の範囲】
【請求項１】
段階的警告表示機能付きトルクレンチであって、レンチ本体と処理ユニットと少なくとも２つの警告表示レベルと警告表示構造とを備え、
前記レンチ本体には、検知ユニットが設けられ、前記検知ユニットが前記トルクレンチの操作値を検出して検測値を形成し、
前記処理ユニットは、前記検知ユニットの検測値と設定値とを比較し、かつ前記検測値と前記設定値との比を計算して比較値を出力し、
前記少なくとも２つの警告表示レベルは、少なくとも２つの数値範囲の比較値で形成され、
前記警告表示構造は、主警告表示ユニットおよび少なくとも１つの副警告表示ユニットを備え、前記主警告表示ユニットは、少なくとも２種類の色光を発光し、前記副警告表示ユニットには、少なくとも２つの発光体を有し、
前記警告表示構造は、前記主警告表示ユニットおよび前記副警告表示ユニットを組合せて警告表示を形成し、前記比較値が一つの警告表示レベル範囲内である場合、前記主警告表示ユニットが１種類の色光を発光し、前記副警告表示ユニットは、前記警告表示レベルにおける比較値に応じて前記少なくとも２つの段階的な副警告表示を形成し、
前記比較値が異なる警告表示レベル範囲内にある場合、前記主警告表示ユニットは、前記色光と異なる色光を発光する、ことを特徴とする段階的警告表示機能付きトルクレンチ。
【請求項２】
段階的警告表示機能付きトルクレンチであって、レンチ本体と処理ユニットと少なくとも２つの警告表示レベルと警告表示構造とを備え、
前記レンチ本体には、検知ユニットが設けられ、前記検知ユニットが前記トルクレンチの操作値を検出して検測値を形成し、
前記処理ユニットは、前記検知ユニットの検測値と設定値とを比較し、かつ前記検測値と前記設定値との比を計算して比較値を出力し、
前記少なくとも２つの警告表示レベルは、少なくとも２つの異なる数値範囲の比較値を表示し、
前記警告表示構造は、主警告表示ユニットおよび少なくとも１つの副警告表示ユニットを有し、
前記主警告表示ユニットおよび副警告表示ユニットを組合せて各警告表示レベルを表示し、前記比較値が一つの警告表示レベルの範囲内にある場合、前記副警告表示ユニットは、前記警告表示レベルの比較値の変化に従って、少なくとも２つの段階的な副警告表示を形成し、
前記比較値が異なる警告表示レベルの範囲内にある場合、前記主警告表示ユニットは異なる警告表示を形成する、ことを特徴とする段階的警告表示機能付きトルクレンチ。
【請求項３】
前記主警告表示ユニットは、低警告表示レベル、中警告表示レベル、および高警告表示レベルを有し、かつ、それぞれ、第１色光、第２色光、および第３色光で発光し、前記副警告表示ユニットは、第１段階副警告表示、第２段階副警告表示、および第３段階副警告表示を有する、ことを特徴とする請求項１に記載のトルクレンチ。
【請求項４】
前記主警告表示ユニットのうちの何れ一つの警告表示レベルが発光して警告表示を示す時、前記副警告表示ユニットの発光体の発光の色は、前記主警告表示ユニットの発光の色と同じまたは異なる、ことを特徴とする請求項１または請求項３に記載のトルクレンチ。
【請求項５】
前記主警告表示ユニットの警告表示は、前記比較値の比率を示す３つの警告表示レベルを有し、前記比率の範囲が４０％〜７９．９％である場合、低警告表示レベルを示し、８０％〜９５．９％である場合、中警告表示レベルを示し、９６％以上である場合、高警告表示レベルを示す、ことを特徴とする請求項１または請求項２に記載のトルクレンチ。
【請求項６】
前記レンチ本体先端には、レンチヘッドが設けられ、前記副警告表示ユニットの発光体は、前記レンチヘッドからレンチ本体の後端部に向かって発光する、ことを特徴とする請求項１に記載のトルクレンチ。
【請求項７】
前記警告表示構造は、過負荷コマンドおよび過負荷率値を有し、前記過負荷率値は、前記検知ユニットの検測値と前記処理ユニットの設定値との過負荷比率であり、前記検測値と前記設定値との比率が前記過負荷比率に達すると、前記処理ユニットは、前記主警告表示ユニットまたは副警告表示ユニットを駆動して過負荷コマンドを形成する、ことを特徴とする請求項１または請求項２に記載のトルクレンチ。
【請求項８】
前記副警告表示ユニットの発光体が発光する個数は、比較値の増加につれて増加する、ことを特徴とする請求項１に記載のトルクレンチ。
【請求項９】
前記レンチ本体は、正面と２つの側面を有し、前記主警告表示ユニットは、前記レンチ本体の正面に設けられ、前記少なくとも１つの副警告表示ユニットは、前記レンチ本体の少なくとも１つの側面に設けられる、ことを特徴とする請求項１に記載のトルクレンチ。
【請求項１０】
前記副警告表示ユニットの異なる段階的な副警告表示に対応する発光体の色が異なるまたは同じである、ことを特徴とする請求項１に記載のトルクレンチ。
【発明の詳細な説明】
【技術分野】
【０００１】
本発明は、トルクレンチの警告表示装置に関し、特に、各警告表示レベルにおいて主警告表示および副警告表示を組合せて、表示効果を読みやすくかつ正確にしたトルクレンチに関する。
【先行技術】
【０００２】
トルク値表示を発生させ、使用者に印加されたトルクを把握するために、一般的な電子式トルクレンチでは、数値表示機能のある表示画面を設けている。しかしながら、数値表示式では、使用者が操作する時、表示画面の視認をそらす必要があるため、実際の使用に不便を与える。従来の電子式トルクレンチは、補助的な表示を得るために、トルク警告表示を提供する発光体が設けられ、この発光体の変化により、動作中のトルク値および設定されたトルク値の比率をおおまかに知ることができる。
【０００３】
一般的に使用されている発光体の警告表示は、以下の２つのモードを有する。その一つは、レベル表示であり、異なる比率範囲において異なる色表示を形成し、例えば、比率が０〜４０％の範囲内である場合、緑色光を示し、４１％〜７０％の範囲内である場合、黄色光を示し、比率が７１％以上である場合、赤色光を示す。異なる色光により、トルク値が達する比率範囲はいくつかを知ることができる。もう一つの方式は、複数の発光体を使用しており、例えば、１０個の発光体を有し、トルクレンチに印加されたトルクが、１０％のトルクごと増えると、一つの発光体が発光して警告表示を形成し、発光体が発光した個数の変化によって、作動中のトルク値が達する比率がいくつかを知ることができる。
【０００４】
上述の発光体による警告表示では、色の変化のみがレベル値を表するように設定しており、そのレベルに割り当てられた比率の範囲は比較的に大きく、例えば、７１％〜１００％以上であるという表示に赤色を示しており、トルク制御が目的値に到達したかどうかについて、正確に把握できず、精度も優れないという欠点がある。そのため、トルクレンチにさらなる応力をかけ続けるか止めるかを判断することは不可能であり、過度な応用によって機械や道具に損傷を与えやすく、ワークを固定するのに不十分などの問題を生じる。一方、発光体の個数による方式では、一つの発光体が一つの小さい範囲の比率を表しており、トルク値の表示はより正確であるが、表示用の発光体の個数が多いため、加えられた力の値の比率を確認する時、発光体の個数を確認しなければならない。しかし、発光体の個数の確認は、特に発光体が小さい場合、視認されにくい問題がある。したがって、発光体の個数は、トルク警告表示の視認に利便性が比較的に低い。
【発明の概要】
【発明が解決しようとする課題】
【０００５】
本発明の目的は、トルク値を段階的に警告表示する機能を有し、読み取りやすく、警告表示レベル細分化され、操作値を迅速かつ正確に把握できるトルクレンチを提供することである。
【０００６】
本発明のもう一つの目的は、主警告表示および副警告表示を組合せて表示し、操作値を迅速かつ正確に把握でき、トルク値を段階的に警告表示するトルクレンチを提供することである。
【課題を解決するための手段】
【０００７】
本発明は、段階的警告表示機能付きトルクレンチを提供し、前記段階的警告表示機能付きトルクレンチは、レンチ本体と処理ユニットと少なくとも２つの警告表示レベルと警告表示構造とを備え、
前記レンチ本体には、検知ユニットが設けられ、前記検知ユニットが前記トルクレンチの操作値を検出して検測値を形成し、
前記処理ユニットは、前記検知ユニットの検測値と設定値とを比較し、かつ前記検測値と前記設定値との比を計算して比較値を出力し、
前記少なくとも２つの警告表示レベルは、少なくとも２つの数値範囲の比較値で形成され、
前記警告表示構造、主警告表示ユニットおよび少なくとも１つの副警告表示ユニットを備え、前記主警告表示ユニットは、少なくとも２種類の色光を発光し、前記副警告表示ユニットには、少なくとも２つの発光体を有し、
前記警告表示構造は、前記主警告表示ユニットおよび前記副警告表示ユニットを組合せて各警告表示レベルを表示し、前記比較値が一つの警告表示レベル範囲内である場合、前記主警告表示ユニットが１種類の色光を発光し、前記副警告表示ユニットは、前記警告表示レベルにおける比較値に応じて前記少なくとも２つの段階的な副警告表示を形成し、
前記比較値が異なる警告表示レベル範囲内にある場合、前記主警告表示ユニットは、前記色光と異なる色光を発光する。
【０００８】
好ましくは、前記検知ユニットは、前記トルクレンチの操作中のトルク値または角度値のうち少なくとも１種の操作値を検出することができる。
【０００９】
好ましくは、前記副警告表示ユニットの発光体が発光する個数は、操作値の増加につれて増加する。
【００１０】
本発明の段階的警告表示機能付きトルクレンチは、主警告表示ユニットおよび副警告表示ユニットを組合せて警告表示レベルの表示を形成し、かつ前記副警告表示ユニットは、警告表示レベルにおいて段階的な副警告表示を形成することがでる。これによって使用者が操作中の操作値と設定値との比率を迅速かつ正確に把握することができる。
【図面の簡単な説明】
【００１１】
本願発明の目的、技術的な特徴、および有利な効果をより理解しやすくするために、図面を参照しながら、本発明の実施形態を詳細に説明する。
【図１】本発明の好ましい実施形態におけるトルクレンチの斜視図である。
【図２】本発明の好ましい実施形態におけるトルクレンチの分解図である。
【図３】本発明の好ましい実施形態における段階的警告表示の構成概念図である。
【図４Ａ−４Ｃ】本発明の好ましい実施形態の主警告表示ユニットは緑ランプが点く際、副警告表示ユニットの動作を示す概念図である。
【図５Ａ−５Ｃ】本発明の好ましい実施形態における主警告表示ユニットは黄色ランプが点く際、副警告表示ユニットの動作を示す概念図である。
【図６Ａ−６Ｃ】本発明の好ましい実施形態における主警告表示ユニットは赤ランプが点く際、副警告表示ユニットの動作を示す概念図である。
【発明を実施するための形態】
【００１２】
図１および図２に示すように、本発明の好ましい実施形態が提供するトルクレンチ１０は、電子式トルクレンチであって、レンチ本体２０を備え、前記レンチ本体２０の先端部がレンチヘッド２１であり、後端部が把持に用いられるグリップである。前記レンチ本体２０は、応力を前記レンチヘッド２１に加わることで、ワークピースを緩めたり締めたりすることができる。前記レンチ本体２０には、検知ユニット２２が設けられ、前記検知ユニット２２は、前記レンチ本体２０の作動トルクを検出した検測値を提供することができる。前記レンチ本体２０には、前記検知ユニット２２が検出した検測値を受信できる処理ユニット２３が設けられ、前記処理ユニット２３には、調整可能な設定値が設定しており、前記設定値が、トルク値、角度値（トルクレンチの回転角度）、または応力量が設定されたトルク値に達する当該トルクレンチの回転角度の角度値（以下、トルク値到達後角度値という）である。
【００１３】
前記レンチ本体２０には、パネル部２４が設けられている。前記パネル部２４は、表示画面２４１およびボタンモジュール２４２を有し、前記表示画面２４１は、検知ユニット２２が検出した検測値または前記トルクレンチが測定を行うときの日付、時間、残電量、トルク値単位などの各種の情報を表示することができる。前記ボタンモジュール２４２は、関連動作の選択または制御をすることができる。動作中、検知ユニット２２によって測出された検測値（トルク値、角度値）と前記処理ユニット２３の設定値とを比較したあと、前記処理ユニット２３は、比較結果を百分率の比率（検測値／予め設定値ｘ％）に計算して出力される。本好ましい実施形態では、比率の範囲が３つの警告表示レベルに分割され、各警告表示レベルは３つの段階の副警告表示レベルに細分される。
【００１４】
警告表示構造３０は、主警告表示ユニット３１と、２つの副警告表示ユニット３２とを備え、前記主警告表示ユニット３１は、前記パネル部２４の中央部に設けられ、すなわち、レンチ本体２０の正面、かつ前記表示画面２４１とボタンモジュール２４２との間に設けられている。前記副警告表示ユニット３２は、前記レンチ本体２０における前記パネル部２４に隣接する側面に設けられている。前記主警告表示ユニット３１は、３つの異なる警告表示レベル（例えば、低、中、高）に従って３つの異なる色の警告表示を形成して発光することができる。また、副警告表示ユニット３２は、前記各警告表示レベルにおいて、３つの段階の副警告表示レベルを段階的に表示することができる。
【００１５】
本発明の各警告表示レベルは、前記主警告表示ユニット３１および副警告表示ユニット３２を協働して表示しており、主警告表示ユニット３１は、粗略の警告表示レベルに区分され、副警告表示ユニット３２は、各警告表示レベルをさらに細分して段階的警告を形成する。これによって、主警告表示ユニット３１の警告表示レベルは、副警告表示ユニット３２によって、３つの段階の副警告表示レベルに３細分することができる。使用者は、各警告表示レベルにおける副警告表示レベルの逓増により、警告表示を正確に把握することができる。ここで、前記副警告表示ユニット３２の個数が３つしかないため、警告レベルを迅速に読み取ることができる。
【００１６】
図３に示すように、本好ましい実施形態の３つの異なる警告表示レベルは、低警告表示レベル、中警告表示レベルおよび高警告表示レベルであり、かつ、それぞれ３つの異なる数値範囲の比率に対応しており、具体的には、低警告表示レベルは、比率が設定値の４０％〜７９．９％であり、中警告表示レベルは、設定値の８０％〜９５．９％であり、高警告表示レベルは、設定値の９６％以上である場合に対応する。
【００１７】
本実施形態の各警告表示レベルは、３つの段階的な副警告表示にさらに細分化され、具体的には、低警告表示レベル４０％〜７９．９％の範囲内では、３つの段階的な副警告表示を含み、４０％〜５２．９％の範囲間にある場合、第１段階の副警告表示を示し、５３％〜６５．９％の範囲間にある場合、第２段階の副警告表示を示し、６６％〜７９．９％の範囲間にある場合、第３段階の副警告表示を示す。
【００１８】
同様に、中警告表示レベル８０％〜９５．９％のトルク値の範囲内では、３つの段階的な副警告表示が割り当てられ、８０％〜８４．９％の範囲間にある場合、第１段階副警告表示を示し、８５％〜８９．９％の範囲間にある場合、第２段階副警告表示を示し、９０％〜９５．９％の範囲間にある場合、第３段階副警告表示を示す。
【００１９】
高警告表示レベル９６％以上の範囲内では、３つの段階的な副警告表示、すなわち、９６％〜９９．９％の範囲内の第１段階副警告表示、１００％〜１０３．９％の範囲内の第２段階副警告表示、および１０４％以上の第３段階副警告表示に割り当てられる。
【００２０】
前記主警告表示ユニット３１は、発光体３１１であり、前記発光体３１１は、３つの異なる警告表示レベルに応じて異なる色変換ができる。図４〜図６に示すように、本実施形態においては、前記発光体３１１が低警告表示レベルの場合に緑色３１１Ｇを示し、中警告表示レベルでは、黄色３１１Ｙを示し、高警告表示レベルでは赤色３１１Ｒを示す。このような３つの異なる色表示によって、使用者が、トルク値がどの警告表示レベルにあるかを正確に把握することができる。本実施形態では、各警告表示レベルにおける比率の範囲が固定比率であるが、所要に応じて調整可能な比率であっても良い。
【００２１】
図３〜図６に示すように、各前記副警告表示ユニット３２は、本実施形態において、３つの発光体３２１、３２２および３２３であり，前記副警告表示ユニット３２の３つの発光体３２１、３２２および３２３が、レンチヘッド２１からレンチ本体の後端部に向かって順次配置されている。
【００２２】
図３〜図６に示すように、前記主警告表示ユニット３１の発光体３１１が緑色３１１Ｇを示す場合、前記副警告表示ユニット３２は、３つの緑色の発光体３２１Ｇ、３２２Ｇおよび３２３Ｇを協働して表示され、主警告表示ユニット３１の発光体３１１が黄色３１１Ｙを示す場合、副警告表示ユニット３２は、３つの黄色発光体３２１Ｙ、３２２Ｙおよび３２３Ｙを協働して表示され、前記主警告表示ユニット３１の発光体３１１が赤色３１１Ｒを示す場合、副警告表示ユニット３２は、３つの赤色の発光体３２１Ｒ、３２２Ｒ、３２３Ｒを協働して表示される。
【００２３】
図３、図４Ａ〜図４Ｃに示すように、前記トルクレンチ１０の操作値（トルク値、回転角度、またはトルク値到達後角度値）が設定値の低警告表示レベル（４０％〜７９．９％）の範囲内にあると、前記主警告表示ユニット３１の発光体３１１の表示は、緑色３１１Ｇであり、副警告表示ユニット３２の発光個数は、実際の比例の増加につれて増加する。前記トルクレンチ１０の比較値が４０％〜５２．９％の範囲内にある場合、前記副警告表示ユニット３２の第１緑色発光体３２１Ｇが発光し、第１段階の副警告表示を示す。前記トルクレンチ１０の比較値が５３％〜６５．９％の範囲内にある場合、前記副警告表示ユニット３２の第１緑色発光体３２１Ｇが発光するとともに、第２緑色発光体３２２Ｇが店頭し始める。前記２つの緑色発光体３２１Ｇ、３２２Ｇの発光によって、第２段階の副警告表示を示す。前記トルクレンチに比較値が６６％〜７９．９％の範囲内にある場合、前記副警告表示ユニット３２の前記２つの発光体３２１Ｇ、３２２Ｇが発光するほか、第３緑色発光体３２３Ｇが発光する。このように３つの発光体３２１Ｇ、３２２Ｇおよび３２３Ｇのいずれも発光することによって、第３段階の副警告表示を示す。
【００２４】
図５Ａ〜図５Ｃに示すように、前記トルクレンチ１０の操作値（トルクまたは角度）が設定値の中警告表示レベル（８０％〜９５．９％）の範囲内にある場合、前記主警告表示ユニット３１の発光体３１１は黄色３１１Ｙを示す。前記副警告表示ユニット３２の発光個数は、実際の操作値の増加に従って増加する。前記トルクレンチ１０の比較値が８０％〜８４．９％の範囲内にある場合、前記副警告表示ユニット３２は、第１黄色発光体３２１Ｙが発光し、第１段階の副警告表示を形成する。前記トルクレンチ１０の比較値が８５％〜８９．９％の範囲内にある場合、前記副警告表示ユニット３２の第１黄色発光体３２１Ｙが発光し続け、第２黄色発光体３２２Ｙも発光する。このような２つの黄色発光体３２１Ｙ、３２２Ｙが発光することによって、第２段階の副警告表示を形成する。前記トルクレンチ１０の比較値が９０％〜９５．９％の範囲内にある場合、前記副警告表示ユニット３２の第１黄色発光体３２１Ｙおよび第２黄色発光体３２２Ｙが発光するほか、第３黄色発光体３２３Ｙも発光する。このような３つの黄色発光体３２１Ｙ、３２２Ｙおよび３２３Ｙが発光することによって、第３段階副警告表示を形成する。
【００２５】
図６Ａ〜図６Ｃに示すように、前記トルクレンチ１０の操作値（トルクまたは角度）が設定値の高警告表示レベル（９６％〜）の範囲内である場合、前記主警告表示ユニット３１の発光体３１１は赤色３１１Ｒを示し、前記副警告表示ユニット３２の発光個数は、実際の比較値の増加に従って増加する。前記トルクレンチ１０の比較値が９６％〜９９．９％の範囲内である場合、前記副警告表示ユニット３２の第１赤色発光体３２１Ｒが発光し、第１段階の副警告表示を形成する。前記トルクレンチ１０の比較値が１００％〜１０３．９％の範囲内である場合、前記副警告表示ユニット３２は、第１赤色発光体３２１Ｒが発光し続け、第２赤色発光体３２２Ｒも発光する。このような２つの赤色発光体３２１Ｒ、３２２Ｒが発光することによって、第２段階の副警告表示を形成する。前記トルクレンチの比較値が１０４％を超えると、前記副警告表示ユニット３２の第１赤色発光体３２１Ｒおよび第２赤色発光体３２２Ｒが発光し続け、第３赤色発光体３２３Ｒも発光する。このような３つの赤色発光体３２１Ｒ、３２２Ｒおよび３２３Ｒが発光することによって、第３段階副警告表示を形成する。
【００２６】
副警告表示ユニットは、第１段階〜第３段階警告表示において、３つの発光体３２１、３２２、３２３が、レンチヘッド２１からレンチ本体の後端部に向かって順次発光する。なお、前記副警告表示の格段階は、均一に割り当てられた警告表示レベルの数値範囲であり、例えば、本好ましい実施形態の低警告表示レベルおよび中警告表示レベルでは、各副警告表示の範囲が警告表示レベル範囲の三分の一であり、または警告表示レベルを副警告表示としての予め設定された範囲に設定することができる（例えば、本実施形態の高警告表示レベルでは、各副警告表示の範囲が設定比率である）。
【００２７】
主警告表示ユニット３１は、異なる色の発光体３１１による異なる警告表示レベルを形成し、かつ前記副警告表示ユニット３２は、異なる個数の発光体３２１、３２２、３２３が発光することによって、異なる段階的な副警告表示を形成することができる。これによって、トルク値または回転角度値が警告表示レベルの副警告表示のいずれかの段階範囲にあるかは識別されることができる。使用者が操作中のトルクまたは角度値と、設定値との比較値がいくつなのかを迅速かつ正確に把握できるため、副警告表示は、警告表示レベルをさらに小さい範囲に細分しており、表示された数値はより細かく、かつ副警告表示ユニット３２の発光体３２１、３２２、３２３の個数が３つだけであるので、素早く読み取ることができる。
【００２８】
なお、前記副警告表示ユニット３２は、一つだけ設けられている。３つの異なる主警告表示ユニット３１は、同一副警告表示ユニット３２の発光体３２１、３２２および３２３を共用して三段階の副警告表示を表示することができる。副警告表示ユニット３２が三段階で主警告表示ユニット３１の警告表示レベルを３つの異なる段階的な副警告表示を表示すれば、本発明の効果が得られる。前記副警告表示ユニット３２の発光体３２１は、同一警告表示レベルに対して異なる色変化による三段階の副警告表示を形成すること、または、異なる副警告表示に対して異なる色変化、異なる点灯頻度による警告表示を形成することができる。
【００２９】
また、使用者に他の警告機能を持たせるために、前記レンチ本体２０には、さらに、補助警告表示装置（図示せず）が設けられ、前記補助警告表示装置は、前記処理ユニット２３の信号を受信する。前記検知ユニット２２が観測した比較値が設定値、すなわち、比率が１００％の状態になると、前記補助警告表示装置を駆動してほかの警告表示動作を発生させる。例としては、前記補助警告表示装置がバイブレータであり、前記検知ユニット２２により検知されたトルク値または角度値の検測値が設定値と同じである場合、前記補助警告表示装置がバイブレータを駆動して振動動作を行わせるので、前記トルクレンチ１０は、前記警告表示構造３０により提供されたランプ型警告表示に加えて、ほかの警告表示を使用者に与えることができる。
【００３０】
また、前記トルクレンチの処理ユニットには、過負荷率値を設定しても良い。前記警告表示構造３０は過負荷コマンドを形成することができる。前記過負荷率値は、検知ユニット２２の検測値と前記処理ユニット２３の設定値との特定の過負荷比率であり、前記検測値と前記設定値との比率が過負荷率値を超えると、前記処理ユニット２３は、前記警告表示構造３０を駆動して過負荷コマンドを形成して使用者に警告表示を与える。本実施形態では、前記過負荷率値が１０４％であり、前記トルクレンチの検測値と前記設定値との比率が前記過負荷率値を超えると、前記処理ユニット２３は、前記警告表示構造３０を駆動して過負荷コマンドを形成し、前記過負荷コマンドにより、主警告表示ユニット３１および副警告表示ユニット３２の発光体３１１、３２１、３２２、３２３が明滅状態になり、使用者に、予め設定値を超えたことを知ることができるので、前記トルクレンチ１０への過剰な応力を印加しないように調整することができる。
【００３１】
本発明のトルクレンチ１０は、操作値が警告表示構造３０の主警告表示および副警告表示を協働して表示されることができる。主警告表示ユニット３１は、警告表示レベルの主警告として機能され、警告表示レベルは副警告表示ユニット３２の細分化された警告で表示されるので、使用者が応力と設定値との関係を迅速かつ正確に把握することができ、また、副警告表示ユニット３２が形成した副警告表示の警告段階が少ないので、正確な比率を読み取る時間がかからず、使用者が動作状態を素早いかつ正確に把握することができる。
【符号の説明】
【００３２】
１０          トルクレンチ
２０          レンチ本体
２１          レンチヘッド
２２          検知ユニット
２３          処理ユニット
２４          パネル部
２４１        表示画面
２４２        ボタンモジュール
３０          警告表示構造
３１          主警告表示ユニット
３１１        発光体
３１１Ｇ      緑色
３１１Ｙ      黄色
３１１Ｒ      赤色
３２          副警告表示ユニット
３２１        発光体
３２１Ｇ      緑色発光体
３２１Ｙ      黄色発光体
３２１Ｒ      赤色発光体
３２２        発光体
３２２Ｇ      緑色発光体
３２２Ｙ      黄色発光体
３２２Ｒ      赤色発光体
３２３        発光体
３２３Ｇ      緑色発光体
３２３Ｙ      黄色発光体
３２３Ｒ      赤色発光体
【図１】
2020089966.tif 000003
【図２】
2020089966.tif 000004
【図３】
2020089966.tif 000005
【図４Ａ−４Ｃ】
2020089966.tif 000006
【図５Ａ−５Ｃ】
2020089966.tif 000007
【図６Ａ−６Ｃ】
2020089966.tif 000008